(57)【要約】      （修正有）【課題】コストを徹底的に抑えて最小最短時の全長を可能な限り抑えて、よりコンパクトに収納できるようにした多段伸縮式ストローの提供。【解決手段】基本的な形状は、輪切りにした断面の形状が円形の標準的なタイプのストローの場合、主たる主要部分が円筒形状である円柱（正確には直円柱）の従来型に対して主要部分がごくごく微小で緩やかな僅少の傾斜角度を持つ円錐形状をなす円錐体となっている。多段伸縮収納式ストローＢを５段式とする場合の挿入ならびに組立順序は、ストロー１の中へ、ストロー２、ストロー３、ストロー４、ストロー５の順番である。ストローを口に含む位置に、熱スポットによる筒内内側に対向突出したくぼみを作り、抜け止め防止リブを形成し、これをストッパーとする。【選択図】図７
2014176592.tif 000002
【特許請求の範囲】
【請求項１】
スライド引き出し式の伸縮式ストローを分割段数の選択自由な多段式とした構造。別口径のストローの組み合わせではなく、伸縮式ではない通常の一般的ストローでは完成品に該当するものである１本の形成直後の長いサイズの完成された状態のストローを最初に形成しておいてから行う分割方法、形成方法、構成方法。
【請求項２】
切断面の切り口が円形となるストローにおいては、直円柱構造ではなく、直円錐ならびに直円錐台になっている構造。本体全体が、ごくごく微小の緩やかな僅少の傾斜角度を持つ円錐体形状の直円錐体形状。切断面の切り口が正方形ならびに多角形となるストローにおいては、直角柱構造ではなく、直角錐ならびに直角錐台となっている構造。本体全体が、ごくごく微小で緩やかな僅少の傾斜角度を持つ角錐体形状の直角錐体形状。
【請求項３】
スライド引き出し式の伸縮式ストローを多段伸縮収納式ストローとする場合、分割カット裁断されたストローを、収納部分となる一番太いサイズのストロー上部より落とし込むようなかたちで、指定された順番に自然落下させるように挿入するだけで、基本的な構成が可能な形状と構造。最終工程において、最上部の抜け止め防止加工するだけで形成可能な構造。
【発明の詳細な説明】
【発明の詳細な説明】
【技術分野】
【０００１】  本発明は、ジュース、コーヒー、牛乳等が充填されたパック容器もしくはプラスチック製容器等に添付して使用されるのはもとより、携帯用としてキャンプや登山等のアウトドアでの飲み物の飲用にも便利な伸縮式ストローに関するものである。
【背景技術】
【０００２】  伸縮式ストローは、スライド方式の異口径の対を成す内側部分スライド用ストローと外側部分スライド用ストローの双方を引き伸ばして使用される。通常多くの場合、フィルムに個別包装された状態で飲料水用パック容器もしくはプラスチック製容器等外側の側面に接着固定された状態で添付されて供給されている。【０００３】  在来の伸縮タイプのストローは、縮小された最短状態で飲料水用パック容器もしくはプラスチック製容器等に添付されている。これを飲用の際に、スライドして引き伸ばし使用される非常に便利で優れたものである。【０００４】  一般に、伸縮式ストローを２段式とした場合、内側部分をスライドする内径用の小口径ストローと、外側部分をスライドする外径用の大口径ストローに分かれ作用している。別口径のそれぞれ独立したストロー２本の組み合わせにより、作用するような構造となっている。【０００５】  更に、伸縮式ストローを３段式とした場合、最も内側部分をスライドする内径用の小口径ストローと、中間部分をスライドする中径用の中口径ストローと、最も外側部分をスライドする外径用の大口径ストローに分かれて作用している。別口径のそれぞれ独立したストロー３本の組み合わせにより、作用するような構造となっている。【０００６】  伸縮式ストロー製造において、それぞれ別口径のストローを製造し、それを組み合わせ、脱落引き抜け防止の為の、熱によるスポット熱変成作用による窪みもしくは凹みを作り、容易に脱落ならびに引き抜けることのないよう、ストッパー等を形成して完成されている。また、口に含む側の一番太いサイズ部分のストロー先端径内方向に屈曲した内部への反り、内巻きの反りを形成し僅少幅の抜止め防止ストッパーも存在する。
【発明の概要】
【発明が解決しようとする課題】
【０００７】  在来の伸縮式ストローは、別口径の対を成すストローをそれぞれ別々に形成、用意されたものを組み合わせてから組み立てるため、構造も複雑かつ製造工程が増加し、その分コストがかかる。【０００８】  構造の複雑化と製造工程の増加により、必然的に収縮ならびに伸張できる段数が多くなれば、それだけ別口径のストローを段数分用意する必要があり、製造コストはその分増大することになる。【０００９】  また、収縮ならびに伸張できる段数や最小最短時の全長がどうしても制限される。
【課題を解決するための手段】
【００１０】  本発明は、前記のような問題点を解決すべく、コストを徹底的に抑えて最小最短時の全長を可能な限り抑えて、よりコンパクトに収納できるようにしたものである。【００１１】  在来タイプの伸縮式ストローの製造方法ならびに形状を見直すこととした。【００１２】  基本的な形状は、輪切りにした切断面の形状が円形の標準的なタイプのストローの場合、主たる主要部分が円筒形状である円柱（正確には直円柱）の在来型に対して、本発明に係る多段伸縮収納式ストローは、主たる主要部分本体全体がごくごく微小で緩やかな僅少の傾斜角度を持つ円錐形状をなす円錐体となっている。【００１３】  液体等の吸入口となる部分は斜めにカットされているため、正確には円錐体とはならないが、この部分を除外して考えると、限りなく円錐台に近い形状といえる。さらに厳密に言えば、直円錐台ということができる。【００１４】  在来型の伸縮式ストローは、別々の個別のサイズのストローの組み合わせにより構成されていたのに対して、本発明に係る多段伸縮収納式ストローでは、伸縮式ではない通常の一般的ストローでは完成品に該当する形成直後の長いサイズのストロー１本から、分割したい各段個数分すべてのストローを用意、調達できることになる。その後、分割したい段数分の分割個数となるよう、指定した部分をカットする。【００１５】  カットしたストローを上部から順次メイン収納の円筒となる一番太い口径のストロー部分へ指定順に上部より挿入していき、最後に液体の吸い込み口となる一番先端となる一番鋭利な細い口径のストロー部分を挿入すれば、本発明に係る多段伸縮収納式ストローの基本部分の完成となる。【００１６】  最終工程で、既存の抜け止め防止加工を施せば、本発明に係る多段伸縮収納式ストローの完成となる。
【発明の効果】
【００１７】  本発明を実施するにあたり、従来の収納式ストローを製作する場合、それぞれ別口径で製造されているストローの組み合わせにより組み立てられる外観および構造を根本的かつ全面的に見直すことにより、製造工程を減らすことが可能となる。【００１８】  構造上、引き伸ばして伸張する方向へ、よほど常識を超えた力で意図的に強い力で引っ張らない限り、理論上引き抜けることもない。【００１９】  比較的自由に切断箇所と切断個数を決めることにより、選択幅が広がり、自由自在な段数の引き出しならびに収納を可能とし、特別な構造と加工は特に必要としない。【００２０】  これにより、最小最短時となる収納された状態の全長も大幅に短縮できることで小型化が実現でき、ジュース、コーヒー、牛乳等が充填されたパック容器もしくはプラスチック製容器等に添付して使用されることに供する他、携帯用としてもアウトドア使用に際しても、場所をとらずに収納および持ち運びが可能となる。【００２１】  また、製造工程を減らすことが可能となり、同時に製造コストの大幅抑制にもつながることになる。
【図面の簡単な説明】
【００２２】
【図１】本発明に係る多段伸縮収納式ストローを３段式とする場合、最大に引き伸ばして伸張した状態を表す斜視図である。
【図２】図１と同じく、本発明に係る多段伸縮収納式ストローを３段式とする場合、最大に引き伸ばして伸張した状態で内部を透視した斜視図である。
【図３】本発明に係る多段伸縮収納式ストローを３段式とする場合、最小に収納された状態を表す正面図である。
【図４】多段伸縮収納式ストローを３段式とする場合、加工する前の基となる状態を表す基本ストローの形成直後の斜視図である。
【図５】多段伸縮収納式ストローを３段式とする場合、加工する前の基となる状態を表す基本ストローの形成直後の正面図である。
【図６】多段伸縮収納式ストローを５段式とする場合、最大に引き伸ばして伸張した状態を表す斜視図である。
【図７】多段伸縮収納式ストローを５段式とする場合、最大に引き伸ばして伸張した状態で内部を透視した斜視図である。
【図８】多段伸縮収納式ストローを５段式とする場合、最小に収納された状態を表す正面図である。
【図９】本発明に係る多段伸縮収納式ストローを５段式とする場合、加工する前の基となる状態を表す基本ストローの形成直後の斜視図である。
【図１０】多段伸縮収納式ストローを５段式とする場合、加工する前の基となる状態を表す基本ストローの形成直後の正面図である。
【図１１】多段伸縮収納式ストローを各円錐ならびに角錐形状とした場合の基本ストローの形成直後の斜視図である。また、図１１の下部に示す図形は、各形状のストローの切断面を表したものである。
【発明を実施するための形態】
【００２３】  以下、本発明の実施例について、図面を参照して詳細に説明する。
【００２４】  図１は、本発明に係る実施例を示す斜視図である。
【００２５】  図１に示されるように、標準的な基本形状の多段伸縮収納式ストローＡは、図１１のＩに示す断面が円形をした円錐状の胴部を有する直円錐体形状を成している。
【００２６】  図１は、本発明に係る多段伸縮収納式ストローを３段式とする場合の実施例を示す斜視図である。図１および図２に示すのは、多段伸縮収納式ストローを最大限引き伸ばして、伸張した状態を表すものである。
【００２７】  本発明に係る多段伸縮収納式ストローは、本体全体がごくごく微小で緩やかな僅少の傾斜角度を持つ円錐体形状の直円錐体であるため、一般の在来伸縮式ストローとの図面上での判断、区別が一見して難しくなる。直円錐体形状をより強調するため、実際の本発明に係る多段伸縮収納式ストローよりも、全体的に傾斜角度の急な図面としている。このため、ストローが鋭利な形状となり、各段のストローの傾斜角度も急になっている。
【００２８】  本発明に係る３段式とする多段伸縮収納式ストローＡの場合は、図５に示すように、ストローを形成する内部が空洞である３つの主たる主要な直円錐１（ストロー１）、直円錐２（ストロー２）、直円錐３（ストロー３）により構成される。
【００２９】  本発明に係る５段式とする多段伸縮収納式ストローＢの場合は、図１０に示すように、ストローを形成する内部が空洞である３つの主たる主要な直円錐１（ストロー１）、直円錐２（ストロー２）、直円錐３（ストロー３）、直円錐４（ストロー４）、直円錐５（ストロー５）、により構成される。
【００３０】  本発明に係る多段伸縮収納式ストローの材質は、一般的ストローと同じポリプロピレン樹脂製である。
【００３１】  一般のストロー形状と異なるのは、図４ならびに図５に示すように、本発明に係る多段伸縮収納式ストローの形状は、飲用側すなわち口に含む側から吸入側である飲み物容器の底面方向に向かい徐々に連続、継続して狭くなっている。
【００３２】  伸縮式ではない通常の一般的ストローでは完成品に該当するものが、本発明に係る多段伸縮収納式ストローでは１本の形成直後の長いサイズのストローが基本となり、この１本から分割したい各段個数分すべてのストローを用意、調達できることになる。その後、分割したい段数分の個数となるよう、指定した部分を切断後、各段を組み替えて、本発明に係る多段伸縮収納式ストローを形成していくことになる。
【００３３】  この形状は、図１１のＩに示すストローの切り口の形が円形の場合、全体形状はごく一般的ストローの円筒形の形状をなす円柱（正確には直円柱）ではなく、ごくごく微小で緩やかな僅少の傾斜角度を持つ円錐（正確には直円錐）形状を成していることが絶対条件である。
【００３４】  本発明に係る多段伸縮収納式ストローを３段式とする場合、加工する前の基となる状態を表す形成直後のストローを図４に示し、真横正面から見た状態を図５に示す。
【００３５】  本発明に係る多段伸縮収納式ストローを５段式とする場合、加工する前の基となる状態を表す形成直後のストロー図９に示し、真横正面から見た状態を図１０に示す。
【００３６】  本発明に係る多段伸縮収納式ストローの液体の吸込み部分すなわち吸入部分は、パック容器もしくはプラスチック製容器等の添付に供する場合は、先端差込部分の角度を４５度から５０度程度の鋭角となるよう斜めにカットする。
【００３７】  本発明に係る多段伸縮収納式ストローを３段式とする場合、形成後の完成したストローを、図４、図５に示す破線部分に沿って円錐の軸に対して垂直、すなわち直角にカット裁断する。
【００３８】  本発明に係る多段伸縮収納式ストローを５段式とする場合、形成後の完成したストローを、図９、図１０に示す破線部分に沿って円錐の軸に対して垂直、すなわち直角にカット裁断する。
【００３９】  図４、図５ならびに図９、図１０に示す数字は、カットにより分断されるストローに番号を付したものである。
【００４０】  本発明に係る多段伸縮収納式ストローを３段式とする場合、カット裁断されたストロー２を、ストロー１の上部より落とし込むように挿入し、次に飲み物の吸入口である一番鋭利な先端部分であるストロー３を最後にストロー１の上部より落とし込むように挿入し、本発明に係る多段伸縮収納式ストロー３段式の伸縮部分が完成する。
【００４１】  図１、図２、図４、図５に示す本発明に係る多段伸縮収納式ストローＡを３段式とする場合の挿入ならびに組立順序は、ストロー１の中へ、ストロー２、ストロー３の順番である。
【００４２】  本発明に係る多段伸縮収納式ストローを５段式とする場合、カット裁断されたストロー２を、ストロー１の上部より落とし込むように挿入し、同様に連続してストロー３、ストロー４を順次挿入後、飲み物の吸入口である一番鋭利な先端部分であるストロー５を最後にストロー１の上部より落とし込むように挿入し、本発明に係る多段伸縮収納式ストロー５段式の伸縮部分が完成する。
【００４３】  図６、図７、図９、図１０に示す本発明に係る多段伸縮収納式ストローＢを５段式とする場合の挿入ならびに組立順序は、ストロー１の中へ、ストロー２、ストロー３、ストロー４、ストロー５の順番である。
【００４４】  上記の状態のままであれば、収縮時やパック飲料などの容器のストロー差込口に挿入しようとした場合、ストロー差込口を破ろうとする際の反発力により、ストロー収納筒より飛び出し、バラバラになってしまう。
【００４５】  それを防止するため、ストローを口に含む側１０の位置に、熱スポットによる筒内内側に対向突出したくぼみを作り、抜け止め防止リブを形成し、これをストッパーとする既存の方法も併せて実施する。
【００４６】  上記ストッパーを製造工程で作成する代わりに、口に含む側１１の先端径内方向に屈曲した内部への反り、内巻きの反りを形成し僅少幅の抜け止め防止とする既存の方法も更に併せて実施する。
【００４７】  なお、本発明に係る多段伸縮収納式ストローを３段式とする場合、収納部分のストロー１より分断したストロー２、ストロー３の挿入は、口に含む側の先端径内方向に屈曲した内部への反り、内巻きの反りを形成する前、もしくは、熱スポットによる筒内内側に対向突出したくぼみを作り、抜け止め防止リブを形成する前に必ず挿入を完了しておかねばならない。
【００４８】  本発明に係る多段伸縮収納式ストローを５段式とする場合、収納部分のストロー１より分断したストロー２、ストロー３、ストロー４、ストロー５の挿入は、口に含む側の先端径内方向に屈曲した内部への反り、内巻きの反りを形成する前、もしくは、熱スポットによる筒内内側に対向突出したくぼみを作り、抜け止め防止リブを形成する前に必ず挿入を完了しておかねばならない。
【００４９】  図１１に示す各ストローの形状は、切断した際の切り口の各断面形状と、本発明に係る多段伸縮収納式ストローへ加工する前の基となる状態を表す各形状基本ストローの形成直後の状態と、５段式とする場合の各段の切断位置を表す。複雑な各デザイン形状のストローにも、本発明に係る多段伸縮収納式ストローへの適用が可能となり、伸縮機能を簡単に付加することができる。
【符号の説明】
【００５０】  １  本発明に係る多段伸縮収納式ストロー本体伸張時の口に含む側の一番太い部分にあたり、収縮時の収納部にあたる胴部
２  本発明に係る多段伸縮収納式ストロー本体分割時、２番目に当たるサイズの胴部で、１番最初に１の本体収縮時の収納部にあたる胴部に挿入するストロー
３  本発明に係る多段伸縮収納式ストロー本体分割時、３番目に当たるサイズの胴部で、２番目に１の本体収縮時の収納部にあたる胴部に挿入するストロー
４  本発明に係る多段伸縮収納式ストロー本体分割時、４番目に当たるサイズの胴部で、３番目に１の本体収縮時の収納部にあたる胴部に挿入するストロー
５  本発明に係る多段伸縮収納式ストロー本体分割時、５番目に当たるサイズの胴部で、４番目に１の本体収縮時の収納部にあたる胴部に挿入するストロー
Ａ  本発明に係る多段伸縮収納式を３段式とした場合のストロー本体
Ｂ  本発明に係る多段伸縮収納式を５段式とした場合のストロー本体
１０  ストローを口に含む側に、熱スポットによる筒内内側に対向突出したくぼみを作り、抜け止め防止リブを形成したストッパー
１１  口に含む側の先端径内方向に屈曲した内部への反り、内巻きの反りを形成し僅少幅の抜け止め防止ストッパー
【図１】
2014176592.tif 000003
【図２】
2014176592.tif 000004
【図３】
2014176592.tif 000005
【図４】
2014176592.tif 000006
【図５】
2014176592.tif 000007
【図６】
2014176592.tif 000008
【図７】
2014176592.tif 000009
【図８】
2014176592.tif 000010
【図９】
2014176592.tif 000011
【図１０】
2014176592.tif 000012
【図１１】
2014176592.tif 000013